(57)【要約】【課題】簡便に使用でき、唇に潤いを与えるための口唇用ゲルパックを提供する。【解決方法】口唇の周囲を覆うのに十分な大きさと形状を有するゲル状組成物からなるシートの中央部に、口唇の横方向の長さにほぼ等しい横長の開口部を設けた口唇パックにより、上記の課題を解決する。【選択図】  図４
2004231634.tif 000002
【特許請求の範囲】
【請求項１】
口唇の周囲を覆うのに十分な大きさと形状を有するゲル状組成物からなるシートの中央部に、口唇の横方向の長さにほぼ等しい横長の開口部を設けたことを特徴とする口唇パック。
【請求項２】
横長の開口部が直線状であり、その開口部の長手方向の片側に凸状部が延設され、該凸状部が下唇係止部を構成する請求項１に記載の口唇パック。
【請求項３】
横長の開口部が略Ｍ字形であり、下側の二つの舌片が下唇係止部を構成する請求項１に記載の口唇パック。
【請求項４】
略Ｍ字形開口部の屈曲部および両端部が丸く形成されてなる請求項３に記載の口唇パック。
【請求項５】
ゲル状組成物が透明である請求項１〜４のいずれかに記載の口唇パック。
【請求項６】
ゲル状組成物の溶液を所定の形状を有するブリスタ容器に充填し、ゲル化させて得られる請求項１〜５のいずれかに記載の口唇パック。
【請求項７】
請求項１〜６のいずれかに記載の口唇パックをブリスタ容器に収容してなる、ブリスタ容器充填口唇パック。
【発明の詳細な説明】
【０００１】
【発明の属する技術分野】
本発明は口唇パックに関するものであり、さらに詳しくは、口唇の周囲を覆うのに十分な大きさと形状を有するゲル状組成物からなるシートの中央部に、口唇の横方向の長さにほぼ等しい横長の開口部を設けてなる口唇パックに関するものである。
【０００２】
【従来の技術】
近年、自己形態保持性を有するゲル状組成物が、不織布などの支持なくシート状に成形され、外用剤として用いられている。
一方、かかるゲル状組成物からなるシートに薬用成分または化粧用成分を配合したフェイスパックが広く用いられている。
また、口唇用のパックも知られているが、この口唇パックは、不織布からなる支持体に水溶性高分子からなる膏体を塗布したものであり、しかも使用時に口に当たる部分に線状の切れ目が入れてあるだけなので、使用中に違和感があり、満足できるものではなかった。
【０００３】
【発明が解決しようとする課題】
ヒトの口唇は常に潤っているのが普通であり、それが乾いたりすると、口唇が荒れたり、ひび割れしたりすることがある。そのため、口唇を潤った状態に保つことが、特に若い女性の間で望まれており、使用していることを感じさせないような口唇パックの開発が望まれていた。
【０００４】
【課題を解決するための手段】
本発明者は、上記の課題を解決するために検討を重ねた結果、口唇の周囲を覆うのに十分な大きさと形状を有するゲル状組成物からなるシートの中央部に、口唇の横方向の長さにほぼ等しい横長の開口部を設けたパックを口唇に適用すれば、日常生活の中で特に支障なく、口唇に潤いが与えられることを見出した。
【０００５】
そして、その開口部が直線状であり、その開口部の長手方向の片側に凸状部が延設され、該凸状部が下唇係止部を構成すると、パックの口唇への貼着をより確実にできることを見出した。
また、開口部を略Ｍ字形とし、下側の二つの舌片を下唇係止部とすると、パックの口唇への貼着をより一層確実にできることを見出した。
さらに、上記の略Ｍ字形開口部の屈曲部および両端部を丸く形成すると、使用時にこれらの部分でシートが裂けるという不都合を解消できるばかりでなく、口唇の動きをよりスムースにできて、日常会話にも支障のないことを見出した。
【０００６】
したがって、本発明によれば、口唇の周囲を覆うのに十分な大きさと形状を有するゲル状組成物からなるシートの中央部に、口唇の横方向の長さにほぼ等しい横長の開口部を設けてなる口唇パックが提供される。
また、本発明によれば、上記の横長開口部が略Ｍ字形であり、下側の二つの舌片が下唇係止用フラップを構成する口唇パックが提供される。
さらに、本発明によれば、上記の略Ｍ字形開口部の屈曲部および両端部が丸く形成されてなる口唇パックが提供される。
【０００７】
【発明の実施の形態】
本発明の口唇パックを構成するゲル状組成物は、特に限定されないが、水溶性高分子からなるものが好ましい。
水溶性高分子は、ゲル状組成物とした際に、以下の含水率および圧縮変形率を示すものであればよく、その種類は限定されない。
また、ゲル状組成物とした際に透明となるものが好ましい。ここで、透明とは、いわゆるウォータークリアと呼ばれるような無色で、濁りのない状態を意味する。
水溶性高分子における「水溶性」とは、室温付近で水溶性高分子１ｇが約３０ｍｌより少ない水に溶解することを意味する。
【０００８】
水溶性高分子は、天然の水溶性高分子、特に多糖類が好ましい。天然の水溶性高分子の場合には、例えば、ゲル強度が６０〜１００ｇ程度のものが適当である。ここで言う「ゲル強度」とは、０．５インチのプランジャーを備えたレオメータを用いて、６ｃｍ／分の速度で、プランジャーを水溶性高分子のゲル体表面を４ｍｍ押し下げるのに必要な力をグラム数で表した数値を意味する。
天然の水溶性高分子の具体例としては、カラゲナン；ローカストビーンガム；キサンタンガム；グァーガム；ジェランガム；タマリンドシードガム；カラヤガム；ペクチン；グルコマンナン、ゼラチンなどが挙げられる。
【０００９】
また、合成の水溶性高分子を用いてもよく、その場合の平均分子量は、例えば１０００〜２００００００００程度である。具体的には、カルボキシメチルセルロース；カルボキシメチルセルロースナトリウム；カルボキシビニルポリマー；ポリビニルアルコール；アルギン酸；グラフトデンプン；アガロース；ポリグルタミン酸、ポリアクリル酸、アルギン酸、アーネストガムならびにそれらの塩および部分中和物等が挙げられる。
【００１０】
水溶性高分子は、１種または２種以上の混合物として用いることができる。２種以上の天然の水溶性高分子を組み合わせて用いるのが好ましく、その中にカラゲナンが含まれているのが特に好ましい。
【００１１】
カラゲナンは、一般にアイリッシュモスという海藻から抽出され、硫酸基を含むガラクタンという多糖類の一種であり、カッパー形、イオタ形およびラムダ形がある。いずれの形でもよいが、カッパーおよび／またはイオタ形を用いるのが好ましく、カッパー形とイオタ形の両方を含むのが特に好ましい。カラゲナンとその他の水溶性高分子との混合割合（重量比）は、例えば１：０〜１：１０程度が好ましい。また、カッパー形とイオタ形の両方を用いる場合の両者の割合（重量比）は、１：１０〜１０：１程度が好ましい。特に好ましいのは、カッパー形および／またはイオタ形カラゲナン：ローカストビーンガム：グルコマンナンの組合せであり、それらの配合割合（重量比）は特に限定されないが、例えば１０〜１：１０〜１：１程度である。
【００１２】
水溶性高分子は、ゲル状組成物全体に対して、０．１〜１０重量％程度、好ましくは０．３〜５重量％、さらに好ましくは０．５〜３重量％程度含まれている。なお、水溶性高分子は可食性であることが好ましい。ここで、「可食性」とは、食品等を規制する法律により飲食が許容されていることを意味する。
【００１３】
本発明の口唇パックを構成するゲル状組成物は、上記の水溶性高分子を水に溶解し、ゲル化したものであり、その含水率は３０〜９５％程度、好ましくは４０〜８５％程度、さらに好ましくは５０〜８０％程度である。含水率が３０％より低い場合には、後記の圧縮変形率が得られないばかりでなく、保水性が著しく低下して、皮膚から剥がれやすくなり、皮膚表面を乾燥させたり、かぶれさせたりするなどの不都合がある。また、含水率が９５％を超えると、圧縮変形率が著しく低下して、ゲル状組成物がもろくなり、使用に十分耐えられなくなるばかりでなく、使用時の離水が顕著になって取扱い性が悪くなり、皮膚からも剥がれやすくなる。
【００１４】
本発明の口唇パックを構成するゲル状組成物は、圧縮変形率が６５〜９９％、好ましくは７０〜９５％、より好ましくは７５〜９０％程度である。ゲル状組成物の圧縮変形率がこの範囲であれば、引っ張り強度、ならびに貼着面の起伏やしわに対する適合性に優れている。
【００１５】
なお、ここで言う「圧縮変形率」とは、一定速度で押圧可能なプランジャーを用いて所定速度でゲル状組成物を圧縮した際の、ゲル構造の一部破壊に到るまでの最大の変形率を百分率で表したものである。圧縮変形率を測定する場合、ゲル状組成物は所定の厚さ、例えば１〜１０ｍｍ程度の厚さ、好ましくは２〜４ｍｍ程度の厚さを有する平板状の試料とされる。プランジャーは、ほぼ円筒形であり、所定の断面積、例えば０．１〜２ｃｍ２程度、好ましくは０．５ｃｍ２程度の断面積を有しており、このようなプランジャーは圧縮試験装置に搭載されている。圧縮試験装置としては、例えば、食品の食感を測定するテクスチュアメータや粘弾性を測定するレオメータ等を使用することができる。測定時のプランジャーの速度は、０．０１〜０．１ｍｍ／秒程度、好ましくは０．０５ｍｍ／秒程度である。
【００１６】
上記のゲル状組成物は、水溶性高分子を６０〜９０℃程度の温水に溶解し、２０〜４０℃程度に放冷することによりゲル化させることができる。このゲル状組成物には、薬用成分（例えば、カンゾウエキス、尿素、ビタミンＢ群、ビタミンＣ、ビタミンＥ、ポピドンヨードなど）、または化粧用成分（例えば、トレハロース、植物性コラーゲン、トリメチルグリシン、アロエなど）を添加してもよいし、医薬または化粧品の分野で通常使用されている添加剤、例えば防腐剤、殺菌剤、香料、着色剤、抗酸化剤などを添加してもよい。さらに、アロマテラピーに用いられるアロマオイルなどを添加してもよい。
上記の薬用成分は、高分子膜で包んだ粒状体として用いてもよいし、多孔性高分子粒状体に含浸・担持させたものを用いてもよい。
【００１７】
アロマオイルとしては、一般にアロマテラピーに用いられる精油成分（精油類）をそのまま用いることができる。この精油成分としては、例えば、ワンダー・セラー著「アロマテラピーのための８４の精油成分」、フレグランスジャーナル社に記載されているものが挙げられる。具体的には、アニス、アンジェリカ、安息香、イモーテル、カモミール、ガーリック、カルダモン、ガルバナム、キャラウェイ、キャロットシード、グアヤックウッド、グレープフルーツ、サイブレス、シダーウッド、スターアニス、セージ、ゼラニウム、セロリ、タイム、タラゴン、テレピン、乳香、バイオレット、パイン、パセリ、フェンネル、ブラックペッパ、ボダイジュ花、レモン、レモングラス、ローズマリー、ローレル、シモツケギク、シモツケソウ、ヤグルマギク、アーモンド、アルニカ、ウイキョウ、エニシダ、クレソン、ゲンチアナ、ショウノウ、スモモ、セイヨウナシ、タイソウ、タンポポ、チモ、チョレイ、トウガシ、ノイバラ、ハッカ、トネリコ、ブクリョウ、メリッサ、モモ、ヤドリギ、ユーカリ、ヨクイニン、ラベンダ、レンギョウなどからの抽出物が挙げられる。
化粧用成分や添加剤としては、当該分野で公知のものを使用することができる。
【００１８】
本発明の口唇パックは、上記のようなゲル状組成物からなる厚さ０．５〜５ｍｍ程度、好ましくは厚さ１〜３ｍｍ程度のシートにより構成される。
本発明の口唇パックの形状および製造法について、以下に説明する。
【００１９】
実施の形態１
図１は、本発明の口唇パックの一実施例を示すものであり、図１ａは上記の口唇パック１をブリスタ容器１１に収容したときの平面図であり、図１ｂは図１ａのＩ−Ｉにおける断面図であり、図１ｃはブリスタ容器１１から取り出した口唇パック１の斜視図である。
【００２０】
口唇パック１は、横長の略楕円形に形成された厚さ約２ｍｍのシート２からなり、その中央部には横長の開口部３が設けられている。口唇パック１の大きさは、特に限定されず、使用者に応じて適宜設定することができる。一例を挙げれば、女性の成人用としては、略楕円形の長軸の長さは約５０〜８０ｍｍであり、短軸の長さは約２０〜３０ｍｍである。そして、開口部の大きさは、長さが約２５〜４０ｍｍであり、幅が約２〜１０ｍｍである。開口部３に沿って高さが約１〜５ｍｍの凸状の下唇係止部４が設けられている。この凸状の下唇係止部４は、口唇パック１の使用時に、この凸状部を下唇の上面に貼着させて、口唇パック１の貼着をより一層確実にして、その脱落を防止するためのものである。
【００２１】
なお、ブリスタ容器１１の上面には、図１ｂに示すように、口唇パック１が使用されるまでのあいだ口唇パック１をシールして、ゲル状組成物からの水分の蒸散を防ぐためのフィルム１２が設けられている。
【００２２】
実施の形態２
図２は、本発明の口唇パックのもう一つの実施例を示す斜視図であり、口唇パック１を形成する略楕円形シート２の長軸方向の両端部に略円形の膨出部５が設けられている。この膨出部５により、略楕円形シート２の長軸方向両端部の貼着面積が大きくなるため、略楕円形シート２の大きさを維持したままで、口唇パック１の貼着性をより一層確実にすることができる。
この実施例における口唇パック１は、上記の膨出部５を除いて、前記の実施の形態１と同じである。
【００２３】
実施の形態３
図３は、本発明の口唇パックのもう一つの実施例を示す。図３ａはその平面図であり、口唇パック１を形成する略楕円形のシート２の中央部に横長で略Ｍ字形の開口部３が設けられている。略Ｍ字形の開口部３の幅は約１〜５ｍｍほどであり、その下側には二つの舌片が形成され、これらの舌片が下唇係止部４となる。この下唇係止部４を下唇の上面に貼着することにより、口唇パック１全体の貼着性をより一層向上させることができる。
図３ｂは、図３ａのＩＩＩ−ＩＩＩにおける断面図である。
図３ｃは、上記の口唇パック１の使用状態を示す部分断面図であり、下唇係止部４が下唇の上面に貼着されている。
【００２４】
実施の形態４
図４は、本発明の口唇パックのもう一つの実施例を示す。口唇パック１を形成する略楕円形のシート２の中央部には、上記の実施の形態３と同様に、横長で略Ｍ字形の開口部３が設けられているが、略Ｍ字形開口部３の屈曲部３ａおよび両端部３ｂが丸く形成されている点が、上記の実施の形態３と異なっている。
このように屈曲部３ａおよび両端部３ｂに丸みをもたせれば、使用時に屈曲部３ａおよび両端部３ｂでシートが裂けるという不都合を解消できるばかりでなく、口唇の動きをより一層スムースにできて、日常会話にも支障を来たさないという利点がある。
また、この実施例では、口唇パック１を形成する略楕円形のシート２の上側中央部に凹み６が設けられている。この凹み６は、口唇パック１を口唇の周縁に貼着する際に位置合わせの目印となり、貼着部位をより正確にできるという利点がある。
【００２５】
なお、図示は省略するが、実施の形態３および４の口唇パック１を形成する略楕円形シート２の長軸方向両端部に、実施の形態２における膨出部５と同様のものを設けてもよい。
【００２６】
本発明の口唇パックは、それが平らなシートからなる場合には、シートを所望の形状に打ち抜いて製造する方法、または所望の形状を有するブリスタ容器にゲル状組成物の加熱溶液を注入した後、放冷し、ゲル化させて製造する方法により得られる。また、口唇パックが実施の形態１および２のように凸状部を有する場合には、後者の方法、すなわち所望の形状を有するブリスタ容器にゲル状組成物の加熱溶液を注入した後、放冷し、ゲル化させて製造する方法により得られる。ブリスタ容器を用いる方法により口唇パックを製造すると、ブリスタ容器をそのまま口唇パックの容器として利用できるので、好ましい。
【００２７】
前者の方法、すなわちシートを所望の形状に打ち抜く方法で製造した口唇パックは、その形状に対応した収納部を有するブリスタ容器に収納して保管することもできる。
また、後者の方法で口唇パックを製造する場合、ブリスタ容器の底面に網目状あるいは細かいドット状の凹凸が形成されていると、ゲル化して得られる口唇パックの表面に、その凹凸模様が現れて乱反射を生じ、口唇パックの使用を目立たなくするばかりでなく、ゲル状組成物に気泡が混入していてもそれを目立たなくするという利点がある。
【００２８】
本発明の口唇パックをブリスタ容器に収納する場合、収納部の外側の領域に、網目状などの凹凸が形成されていると、使用前の口唇パックに歪みや撓みが生じるのを防ぐことができて好ましい。
以下、本発明の口唇パックを構成するゲル状組成物および口唇パックの製造法を実施例により説明する。
【００２９】
ゲル状組成物の全量を１００重量％として、以下の処方のゲル状組成物を調製した。各成分の配合割合は重量％で表す。
なお、カッパーカラゲナンは、三晶株式会社製のＧＥＮＵＧＥＬ  ｃａｒｒａｇｅｅｎａｎ    ｔｙｐｅ  Ｘを用いた。
【００３０】
実施例１
カッパーカラゲナン        ０．６
グルコマンナン                ０．４
ソルビトール                    ５．０
パラベン                            ０．２
植物コラーゲン                ０．５
トレハロース                    ０．５
トリメチルグリシン        ０．５
オリーブオイル                ０．５
水                                        残部
【００３１】
まず、カッパーカラゲナンおよびグルコマンナンをソルビトールに加え、攪拌混合してゲル成分湿潤液を得る。これにパラベンを加え、加温下で攪拌しながら完全に溶解させて溶液とする。この溶液に、植物コラーゲン、トレハロース、トリメチルグリシンおよびオリーブオイルを加えて溶解させる。この溶液を水に加えて、ゲル成分を膨潤させる。得られたゲル成分膨潤液を８０〜８５℃程度に加熱し、膨潤したゲル成分を均一に溶解させる。その後、７０〜７５℃に調節した水浴に浸して溶液温度を降下させるとともに、溶液内の気泡が排除されるのを待つ。このようにして得られたゲル状組成物の加熱溶液を、図１の形状を与えるブリスタパック容器に充填し、室温まで放冷してゲル化させた後、アルミラミネートフィルムでシールして、口唇パックを得た。
【００３２】
実施例２
カッパーカラゲナン                    ０．８
ローカストビーンガム                ０．４
グルコマンナン                            ０．１
グリセリン                １０．０
ソルビトール                ５．０
ベタイン                    １．０
架橋剤                      ０．２
防腐剤                                            ０．２
水                                                    残部
【００３３】
カッパーカラゲナン        、ローカストビーンガムおよびグルコマンナンを適量のグリセリンに分散させる（予調液１）。これとは別に、ソルビトールと適量の水とを均一に混合する（予調液２）。また、防腐剤を残りのグリセリンに溶解させる（予調液３）。さらに、架橋剤を少量の水に溶解させる（予調液４）。
上記の予調液１に予調液３を加えて混合する。これに予調液２を加え、加熱して溶解させる。これに予調液４を加え、均一に混合して、充填用のゲル液とする。
上記のゲル液を図４の形状を与えるブリスタ成形容器に充填し、放冷してゲル化させた後、アルミラミネートフィルムでシールして、口唇パックを得た。
【００３４】
試験例１
上記の実施例１および２で得られたゲル状組成物の圧縮変形率を測定した。圧縮変形率の測定は、テキソグラフ（日本食品研究所）を用い、断面積０．５ｃｍ２の円筒プランジャーを用いて、０．０５ｍｍ／秒の速度でゲル状組成物を圧縮し、ゲル状組成物の構造の一部が破壊する直前の圧縮変形率（ｎ＝５）を求めた。
実施例１のゲル状組成物：圧縮変形率９７．３％
実施例２のゲル状組成物：圧縮変形率９０．７％
【００３５】
【発明の効果】
本発明の口唇パックは、圧縮変形率が大きいので、ブリスタ容器から取り出す際に、ちぎれたり、破れたり、割れたりすることなく、取り扱いやすい。
また、本発明の口唇パックは、両手で引っ張って薄く延ばしても破れず、薄い状態で唇に貼り付けるとフィット感に優れている。
そして、パックの中央部に口の開閉を可能ならしめる開口部が形成されているため、パック使用中でも日常会話に支障がない。
さらに、口唇パックに下唇係止部を設けると、その部分が下唇の上面に貼り付いて、パックのずり落ちを防止することができる。
【００３６】
また、口唇パックの横方向の両端部に膨出部を設けると、パック中央部に横長の開口部を設けたことによるパックの強度低下を補うことができるとともに、貼着面積が大きくなって、パックを口唇周縁部ぴったりと貼着させることができる。
さらに、上記の略Ｍ字形開口部の屈曲部および両端部に丸みをもたせると、使用時にこれらの部分でシートが裂けるという不都合を解消できるばかりでなく、口唇の動きをより一層スムースにできる。
【図面の簡単な説明】
【図１】本発明における実施の形態１の口唇パックを示し、（ａ）はブリスタ容器に収納したときの平面図、（ｂ）は（ａ）のＩ−Ｉにおける断面図、（ｃ）はブリスタ容器から取り出した口唇パックの斜視図である。
【図２】本発明における実施の形態２の口唇パックを示す斜視図である。
【図３】本発明における実施の形態３の口唇パックを示し、（ａ）はその平面図、（ｂ）は（ａ）のＩＩＩ−ＩＩＩにおける断面図、（ｃ）は使用状態を示す部分断面図である。
【図４】本発明における実施の形態４の口唇パックを示す平面図である。
【符号の説明】
１    口唇パック
２    ゲル状組成物からなるシート
３    開口部
３ａ  略Ｍ字形開口部の屈曲部
３ｂ  略Ｍ字形開口部の両端部
４    下唇係止部
５    脹出部
１１  ブリスタ容器
１２  シール用フィルム
【図１】
2004231634.tif 000003
【図２】
2004231634.tif 000004
【図３】
2004231634.tif 000005
【図４】
2004231634.tif 000006